(57)【特許請求の範囲】
【請求項１】
前面開口部を有する前面パネル部材を前面側に配設した本体と、前記本体内に揺動自在に弾性支持され前面側に水槽開口部を設けた水槽と、前記水槽に回転自在に内包され前面側にドラム開口部を設けた回転ドラムと、前記回転ドラムを回転駆動するモータと、前記前面開口部を開閉自在に覆い内方に突出する内蓋を有する蓋体と、前記前面開口部と前記水槽開口部との間に連結されゴムなどの弾性材からなるパッキング部材とを備え、前記パッキング部材は、前記前面開口部近傍から後方へ延びる略円筒部と、前記円筒部の後端から前方かつ外方へ折り返すことにより外周側に膨出し前記水槽開口部と連結する膨出部と、前記略円筒部の前端部に設けられ前記蓋体を閉めた時に前記内蓋に当接してシールするリップ部と、前記リップ部よりも前記水槽開口部側の前記略円筒部に設けられたリブ部とを有し、前記リブ部は、前記リップ部の厚さよりも厚く、前記リップ部の高さ以上の高さに形成するとともに、前記蓋体を閉めた時に前記内蓋に接触しないように形成したドラム式洗濯機。
【請求項２】
前記リブ部は、前記円筒部の下半分の所定範囲に形成した請求項１に記載のドラム式洗濯機。
【請求項３】
前記リブ部の先端部と前記内蓋間の最小隙間ｉは、０ｍｍ＜ｉ≦５ｍｍに設定した請求項１または２に記載のドラム式洗濯機。
【請求項４】
前記リブ部は、略中央部分の最下部に、その前方から後方に連通する水抜き孔を形成した請求項１〜３のいずれか１項に記載のドラム式洗濯機。
【請求項５】
前記円筒部には、前記水抜き孔の前後に凹状の溝を形成した請求項４に記載のドラム式洗濯機。
【発明の詳細な説明】
【技術分野】
【０００１】
本発明は、回転ドラム内に収容した洗濯物を洗濯するドラム式洗濯機に関するものである。
【背景技術】
【０００２】
従来、この種のドラム式洗濯機は、洗いや脱水の際、水槽内に溜められた水が、洗濯機本体内部又は外部に漏れてしまうのを防止するために、回転ドラムの前面開口部に対応する水槽の開口部と本体前面に設けた開口部との間に、それらを連結するパッキング部材を設ける構成が提案されている（例えば、特許文献１参照）。
【０００３】
図６は、特許文献１に記載された従来のドラム式洗濯機のパッキング部材周辺の拡大断面図を示すものである。
【０００４】
図６において、本体（図示せず）を構成する前面側の部材である前面パネル部材３７の内部に位置する前面板４３には、回転ドラム（図示せず）のドラム開口部と対応して、円形の前面板開口部（前面開口部）４４が形成してある。前面板４３は、その前方が前面パネル部材３７で覆われている。
【０００５】
回転ドラムを内包する水槽３５の水槽開口部４５も、衣類投入のための前方開口部３８ａを有する開口部材３８の内側で、しかも前面板４３の前面板開口部４４と対向する位置にあるもので、これら水槽３５の水槽開口部４５と前面板４３の前面板開口部４４との間の隙間はゴムなどの弾性材から作られた環状筒状のパッキング部材４６で密閉されて、隙間からの本体内への水の浸入を防止している。
【０００６】
また、閉じた蓋体３９の内蓋５３の外周がパッキング部材４６のリップ部４６ａの内周面に当たって、これら両者間のシールを行なうように構成されており、蓋体３９の外周からの水や蒸気の漏れを防止している。
【０００７】
また、パッキング部材４６の水槽３５側は、水槽開口部４５の外周部に装着され、ワイヤ５２によって固定されている。パッキング部材４６の前面板４３側には、フランジ部４６ｂが設けられ、そのフランジ部４６ｂは、取付板４７を前面から前面板４３にネジ５１にてネジ止め固定することにより、前面板４３に設けた凹部４３ａと取付板４７に設けた凸部４７ａとによって、挟持固定されている。
【先行技術文献】
【特許文献】
【０００８】
【特許文献１】特開２００５−１４３７９５号公報
【発明の概要】
【発明が解決しようとする課題】
【０００９】
しかしながら、前記従来の構成では、使用者が洗濯物を回転ドラム内に入れて蓋体３９を閉めた時に、誤って洗濯物の一部を内蓋５３の外周とパッキング部材４６のリップ部４６ａとの間に挟んでしまい、そのまま運転を開始したために、回転ドラムの回転により、洗濯物がパッキング部材のリップ部を巻きつけるようにして大きな力で回転ドラム内に引張り、パッキング部材が外れたり、破れたりして、水漏れが発生するという課題があった。
【００１０】
図７（ａ）〜（ｃ）は、従来のドラム式洗濯機において洗濯物の一部を内蓋５３の外周とパッキング部材４６のリップ部４６ａとの間に挟んで運転を開始した場合の状態図である。
【００１１】
洗濯物５４の一部を内蓋５３の外周とパッキング部材４６のリップ部４６ａとの間に挟んで運転を開始すると、図７（ａ）に示すように、洗濯物５４は、回転ドラム４１の回転に伴い、徐々に捩れ部分５４ａが発生してくる。さらに、運転を続けると、図７（ｂ）に示すように、リップ部４６ａが、捩れ部分５４ａに巻き込まれていく。最終的には、図７（ｃ）に示すように、洗濯物５４は、回転ドラム４１内に引き込まれていくが、その際、洗濯物５４の捩れ部分５４ａに巻き込まれたリップ部４６ａがパッキング部材４６から千切られてしまい、洗濯物５４とともに回転ドラム４１内に入り込んでしまい、パッキング部材４６からリップ部４６ａがなくなってしまうため、内蓋５３の外周とパッキング部材４６間のシールができず、水漏れが発生するというという課題があった。
【００１２】
本発明は、前記従来の課題を解決するもので、洗濯物が内蓋とパッキング部材の間に挟まれたまま運転されたとしても、パッキング部材が外れたり、破れたりしないようにパッキング部材のリップ部周りを構成して、大きな水漏れの被害を起こさないドラム式洗濯機を提供することを目的とする。
【課題を解決するための手段】
【００１３】
前記課題を解決するために、本発明のドラム式洗濯機は、前面開口部を有する前面パネル部材を前面側に配設した本体と、前記本体内に揺動自在に弾性支持され前面側に水槽開口部を設けた水槽と、前記水槽に回転自在に内包され前面側にドラム開口部を設けた回転ドラムと、前記回転ドラムを回転駆動するモータと、前記前面開口部を開閉自在に覆い内方に突出する内蓋を有する蓋体と、前記前面開口部と前記水槽開口部との間に連結されゴムなどの弾性材からなるパッキング部材とを備え、前記パッキング部材は、前記前面開口部近傍から後方へ延びる略円筒部と、前記略円筒部の後端から前方かつ外方へ折り返すことにより外周側に膨出し前記水槽開口部と連結する膨出部と、前記略円筒部の前端部に設けられ前記蓋体を閉めた時に前記内蓋に当接してシールするリップ部と、前記リップ部よりも前記水槽開口部側の前記略円筒部に設けられたリブ部とを有し、前記リブ部は、前記リップ部の厚さよりも厚く、前記リップ部の高さ以上の高さに形成するとともに、前記蓋体を閉めた時に前記内蓋に接触しないように形成した構成としたものである。
【００１４】
これによって、洗濯物が誤って内蓋とパッキング部材の間に挟まれたまま運転されたとしても、洗濯物はリップ部に巻きつく前にリブ部を巻きつけて大きな力で回転ドラム内に引っ張りこもうとするが、リブ部の厚みを厚く形成しているために十分に巻きつけることができず、洗濯物がリブ部から外れてしまうことにより、パッキング部材が外れたり、破れたりして大きな水漏れが発生することを防止することができる。
【発明の効果】
【００１５】
本発明のドラム式洗濯機は、使用者が誤って洗濯物を内蓋に挟んだまま運転したとしても、洗濯物の巻き込みによるパッキング部材の外れや破れを防ぎ、水漏れを防止することができる。
【図面の簡単な説明】
【００１６】
【図１】本発明の実施の形態１におけるドラム式洗濯機の外観斜視図
【図２】同ドラム式洗濯機の縦断面図
【図３】（ａ）同ドラム式洗濯機のパッキング部材周辺の拡大断面図（ｂ）同ドラム式洗濯機のパッキング部材の局部拡大断面図
【図４】（ａ）図３（ａ）におけるＡ矢視図（ｂ）図３（ａ）におけるＢ矢視図
【図５】（ａ）、（ｂ）同ドラム式洗濯機において洗濯物の一部を内蓋の外周とパッキング部材のリップ部との間に挟んで運転を開始した場合の状態図
【図６】従来のドラム式洗濯機のパッキング部材周辺の拡大断面図
【図７】（ａ）〜（ｃ）同ドラム式洗濯機において洗濯物の一部を内蓋の外周とパッキング部材のリップ部との間に挟んで運転を開始した場合の状態図
【発明を実施するための形態】
【００１７】
第１の発明は、前面開口部を有する前面パネル部材を前面側に配設した本体と、前記本体内に揺動自在に弾性支持され前面側に水槽開口部を設けた水槽と、前記水槽に回転自在に内包され前面側にドラム開口部を設けた回転ドラムと、前記回転ドラムを回転駆動するモータと、前記前面開口部を開閉自在に覆い内方に突出する内蓋を有する蓋体と、前記前面開口部と前記水槽開口部との間に連結されゴムなどの弾性材からなるパッキング部材とを備え、前記パッキング部材は、前記前面開口部近傍から後方へ延びる略円筒部と、前記略円筒部の後端から前方かつ外方へ折り返すことにより外周側に膨出し前記水槽開口部と連結する膨出部と、前記略円筒部の前端部に設けられ前記蓋体を閉めた時に前記内蓋に当接してシールするリップ部と、前記リップ部よりも前記水槽開口部側の前記略円筒部に設けられたリブ部とを有し、前記リブ部は、前記リップ部の厚さよりも厚く、前記リップ部の高さ以上の高さに形成するとともに、前記蓋体を閉めた時に前記内蓋に接触しないように形成したドラム式洗濯機とすることにより、洗濯物が誤って内蓋とパッキング部材の間に挟まれたまま運転された場合には、洗濯物はリップ部よりも近い位置にあるリブ部を巻きつけて大きな力で回転ドラム内に引っ張りこもうとするが、リブ部の厚みを厚く形成しているために十分に巻きつけることができず、洗濯物がリブ部から外れてしまうことにより、パッキング部材が外れたり、破れたりすることを防いで、大きな水漏れが発生することを防止することができる。
【００１８】
第２の発明は、特に、第１の発明の前記リブ部は、前記略円筒部の下半分の所定範囲に形成したドラム式洗濯機とすることにより、実際に洗濯物が挟まれる可能性があるところのみの対応で、パッキング部材が外れたり、破れたりすることを防いで、大きな水漏れが発生することを防止することができる。
【００１９】
第３の発明は、特に、第１または第２の発明の前記リブ部の先端部と前記内蓋間の最小隙間ｉは、０ｍｍ＜ｉ≦５ｍｍに設定したドラム式洗濯機とすることにより、洗濯物が、リブ部の先端部と内蓋間で挟み込まれるため、確実にリップ部に至るのを防止することができ、洗濯物がリップ部に巻きつくのを防ぐことができ、パッキング部材の外れ、破れを防止でき、大きな水漏れが発生することを防止することができる。
【００２０】
第４の発明は、特に、第１〜３のいずれか１つの発明の前記リブ部は、略中央部分の最下部に、その前方から後方に連通する水抜き孔を形成したドラム式洗濯機とすることにより、洗濯終了後にリップ部とリブ部との間に水が溜まったままになることを防止し、洗濯終了後に洗濯物を取り出す際、洗濯物に水が再付着するのを防止することができる。
【００２１】
第５の発明は、特に、第４の発明の前記略円筒部には、前記水抜き孔の前後に凹状の溝を形成した請求項３に記載のドラム式洗濯機とすることにより、リップ部とリブ部との間に溜まった水が、水抜き孔および凹状の溝を通り、スムーズに膨出部を介して、水槽に流れ落ちて行くようにすることができる。
【００２２】
以下、本発明の実施の形態について、図面を参照しながら説明する。なお、この実施の形態によって本発明が限定されるものではない。
【００２３】
（実施の形態１）
図１は、本発明の実施の形態１におけるドラム式洗濯機の外観斜視図、図２は、同ドラム式洗濯機の縦断面図である。
【００２４】
図１において、前面をなだらかな上方後退曲面とした本体１は、分割された板金製の左右側板２、着脱可能な背面板３、前記左右側板２を連結する複数の板金製の連結板（一部後述）、合成樹脂からなる天板４および前面パネル部材５などで構成されており、前面パネル部材５の上方には、各種の設定を行なうスイッチ操作部６、設定された内容を表示する表示部７を配置した操作パネル８が設けられている。
【００２５】
本体１の内部には、サスペンション構造（図示せず）によって水槽９が揺動自在に弾性支持されており、水槽９内には、有底円筒形に形成された回転ドラム１０が、その軸心方向を正面側から背面側に向けて下向きに傾斜させて回転自在に支持されている。
【００２６】
回転ドラム１０の周壁には多数の孔１０ａを有するとともに、衣類撹拌用の複数のバッフル１１を内周より突出させており、回転ドラム１０は、水槽９の背面側に取り付けられたモータ１２によって、正転及び逆転方向に回転駆動される。また、水槽９には、給水管路１３及び排水管路１４が配管接続され、図示しない給水弁及び排水弁の制御によって水槽９内への給水及び排水がなされる。
【００２７】
そして、洗濯動作時には、回転ドラム１０内に収納された洗濯物はバッフル１１で上方へ持ち上げられ、所定位置でこのバッフル１１から剥離して回転ドラム１０に溜められた水面に落下するもので、いわゆる”たたき洗い”がなされる。
【００２８】
回転ドラム１０のドラム開口部１０ｂは、本体１前面側の曲面状の前面パネル部材５に設けた洗濯物投入のための前方開口部１５ａを有する開口部材１５に対向しており、また、この開口部材１５の前方開口部１５ａは、内方に硬質透明材（例えば、ガラス材）の内蓋１６ａを有する蓋体１６で開閉される。内蓋１６ａは、回転ドラム１０側に突出した形状とするとともに、奥に行くに従い、中心方向に傾斜するよう構成している。
【００２９】
本体１を構成する複数の連結板のうち、前面パネル部材５の内部に位置する前面板１７には、回転ドラム１０のドラム開口部１０ｂと対応して、円形の前面板開口部１７ａが形成されており、前面板１７は、その前方が前面パネル部材５で覆われている。そして、内蓋１６ａは前面板開口部１７ａよりも回転ドラム１０の内方側に向かって突出している。
【００３０】
また、水槽９の水槽開口部９ａも、洗濯物投入のための前方開口部１５ａを有する開口部材１５の内側で、しかも前面板１７の前面板開口部１７ａと対向する位置にある。これら水槽９の水槽開口部９ａと前面板１７の前面板開口部１７ａとの間の間隔は、ゴムなどの弾性材から成るパッキング部材１８で連結されてシールされており、水が水槽９から本体１内へ漏出するのを防止している。
【００３１】
図３（ａ）は、本発明の実施の形態１におけるドラム式洗濯機のパッキング部材周辺の拡大断面図、図３（ｂ）は、同ドラム式洗濯機のパッキング部材の局部拡大断面図、図４（ａ）は、図３（ａ）におけるＡ矢視図、図４（ｂ）は、図３（ａ）におけるＢ矢視図である。
【００３２】
図３（ａ）において、パッキング部材１８は、前面板１７の前面板開口部１７ａから後方へ延びる略円筒部１８ｂと、この略円筒部１８ｂの後端から前方かつ外方へ折り返すことにより外周側に膨出し水槽開口部９ａと連結する膨出部１８ｃとから形成されている。略円筒部１８ｂの前端部の内周に形成したリップ部１８ａは、前面板１７の前面板開口部１７ａの内周側に突出しており、蓋体１６を閉めた時に、蓋体１６の内方側の内蓋１６ａ
の外周面と当接してシールを行い、蓋体１６の外周からの水および蒸気の漏出を防止している。また、図３（ｂ）に示すように、リップ部１８ａは、例えば、略円筒部１８ｂの内面からの高さｃを９ｍｍ、厚さｄを３ｍｍに設定している。
【００３３】
さらに、パッキング部材１８には、図３（ａ）に示すように、リップ部１８ａよりも水槽開口部９ａ側の略円筒部１８ｂにリブ部１８ｄが形成されている。リブ部１８ｄは、例えば、中心部分において、略円筒部１８ｂの内面からの高さｅを１２ｍｍ、先端部分の厚みｆを１１ｍｍ、根元部分の厚みｇを１４ｍｍに設定している。このリブ部１８ｄの高さｅの１２ｍｍは、蓋体１６を閉めた時に、内蓋１６ａに接触せず隙間を設けた高さに設定している。また、リブ部１８ｄは、リップ部１８ａから、寸法ｈ（例えば、１０ｍｍ）程度離して設けている。
【００３４】
つまり、パッキング部材１８のリブ部１８ｄの厚みは、リップ部１８ａの厚みより厚く、リブ部１８ｄの高さは、リップ部１８ａの高さよりも高くなっており、また、リブ部１８ｄは蓋体１６を閉めた時に、内蓋１６ａに接触しないように形成してある。ここで、リブ部１８ｄの先端部と内蓋１６ａ間の最小隙間ｉは、本実施の形態１では、３ｍｍに設定している。これにより、リブ部１８ｄが、蓋体１６の開閉時に違和感を及ぼしたり、リップ部１８ａと内蓋１６ａ間のシール性能に影響を及ばしたりすることがないようにしている。
【００３５】
また、リブ部１８ｄは、パッキング部材１８の略円筒部１８ｂ全周に設ける必要はなく、図４（ｂ）に示すように、蓋体１６を閉めた場合に洗濯物を挟みこんでしまう可能性がある下半円部のうち、中心線より、左右α（例えば、３５°）の範囲に設けていれば十分である。
【００３６】
また、リブ部１８ｄは、前述したとおり、中心部分において、先端部分の厚みｆを１１ｍｍとしているが、図４（ａ）に示すように、両端に行くに従い、薄くし、左右α部分の厚みｋ（例えば、６ｍｍ）としてもよい。これにより、使用者に対して、リブ部１８ｄの違和感、圧迫感等を軽減させることができる。
【００３７】
また、リブ部１８ｄの略中央部分最下部には、その前方から後方に連通する水抜き孔１８ｅが設けてあり、洗濯終了後にリップ部１８ａとリブ部１８ｄとの間に水が溜まったままになることを防止している。さらに、略円筒部１８ｂには、水抜き孔１８ｅの前後に凹状の溝１８ｆを形成している。これにより、リップ部１８ａとリブ部１８ｄとの間に溜まった水が、水抜き孔１８ｅおよび凹状の溝１８ｆを通り、スムーズに膨出部１８ｃを介して、水槽９に流れ落ちて行くようにすることができる。これによって、洗濯終了後にリップ部１８ａとリブ部１８ｄとの間に水が溜まったままになることを防止し、洗濯終了後に洗濯物を取り出す際、洗濯物に水が再付着するのを防止することができる。
【００３８】
なお、リップ部１８ａについては、内蓋１６ａとのシール性や蓋体１６の開閉力、あるいは耐久性の関係を検証することにより、厚み等の寸法を決定すれば良い。
【００３９】
以上のように構成したドラム式洗濯機において、以下、その動作、作用を図５（ａ）、（ｂ）を用いて説明する。
【００４０】
図５（ａ）、（ｂ）は、本発明の実施の形態１におけるドラム式洗濯機において、洗濯物の一部を内蓋の外周とパッキング部材のリップ部との間に挟んで運転を開始した場合の状態図である。
【００４１】
洗濯行程の始めに、洗濯物１９を回転ドラム１０内に投入して洗濯を開始しようとして
、誤って洗濯物を蓋体１６の内蓋１６ａとパッキング部材１８の間に挟んだ状態で運転した場合、洗濯物１９が内蓋１６ａとパッキング部材１８の間に挟まれたまま、回転ドラム１０内に設けたバッフル１１の回転に伴って洗濯物も回転しようとする。
【００４２】
図５（ａ）に示すように、洗濯物１９は、回転ドラム１０の回転に伴って、徐々に捩れ部分１９ａが発生してくる。このとき、ねじれ部分１９ａは、リップ部１８ａよりも洗濯物１９に近く高さが高いリブ部１８ｄの内側で発生し、リブ部１８ｄを巻きつけようとする。しかし、図５（ｂ）に示すように、リブ部１８ｄは厚みが厚いために、ねじれによる剪断力が作用せず、ねじれ部分１９ａは、徐々に大きくなるとともに、洗濯物１９自体が、回転ドラム１０内に引き込まれて行き、内蓋１６ａとパッキング部材１８の間から外れてしまい、洗濯物１９は回転ドラム１０内で正常に攪拌されることになる。
【００４３】
なお、本実施の形態１においては、リブ部１８ｄの略円筒部１８ｂの内面からの高さｅ（１２ｍｍ）を、リップ部１８ａの略円筒部１８ｂの内面からの高さｃ（９ｍｍ）より高く設定したが、両者の高さが同等であっても、内蓋１６ａの形状（中心方向への傾斜具合）次第で、上記と同等の作用効果を得ることができる。
【００４４】
そして、リブ部１８ｄの略円筒部１８ｂの内面からの高さｅを、５ｍｍ≦ｅ＜１５ｍｍに設定することで、リブ部１８ｄの先端部と内蓋１６ａ間の最小隙間ｉを、０ｍｍ＜ｉ≦１０ｍｍに設定したであれば、ねじれ部分１９ａが、リブ部１８ｄの先端部を越えて、リップ部１８ａに至る確率を減少させることができる。
【００４５】
ただ、リブ部１８ｄの先端部と内蓋１６ａ間の最小隙間ｉを、５ｍｍ＜ｉ≦１０ｍｍに設定した場合、略円筒部１８ｂの内面からの高さｅを５ｍｍ≦ｅ＜１０ｍｍにすることができ、リブ部１８ｄを目立たなくすることができる反面、ねじれ部分１９ａが、リブ部１８ｄの先端部を乗り越えて、洗濯物１９のねじれ部分１９ａがリップ部１８ａに巻きついてしまう可能性が２回にほぼ１回の確率で発生してしまう。
【００４６】
そこで、リブ部１８ｄの先端部と内蓋１６ａ間の最小隙間ｉを、０ｍｍ＜ｉ≦５ｍｍに設定することで、ねじれ部分１９ａが、リブ部１８ｄの先端部と内蓋１６ａ間で挟み込まれるため、ねじれ部分１９ａが、確実にリップ部１８ａに至るのを防止することができ、洗濯物１９がリップ部１８ａに巻きつくのを防ぐことができ、パッキング部材１８の外れ、破れを防止でき、大きな水漏れが発生することを防止することができる。
【００４７】
以上のように、本実施の形態１においては、パッキング部材１８は、前方開口部１５ａ近傍から後方へ延びる略円筒部１８ｂと、略円筒部１８ｂの後端から前方かつ外方へ折り返すことにより外周側に膨出し水槽開口部９ａと連結する膨出部１８ｃと、略円筒部１８ｂの前端部に設けられ蓋体１６を閉めた時に内蓋１６ａに当接してシールするリップ部１８ａと、リップ部１８ａよりも水槽開口部９ａ側の略円筒部１８ｂに設けられたリブ部１８ｄとを有し、リブ部１８ｄは、リップ部１８ａの厚さよりも厚く、リップ部１８ａの高さ以上の高さに形成するとともに、蓋体１６を閉めた時に内蓋１６ａに接触しないように形成した構成とすることにより、洗濯物１９が誤って内蓋１６ａとパッキング部材１８の間に挟まれたまま運転された場合には、洗濯物１９はリップ部１８ａよりも近い位置にあるリブ部１８ｄを巻きつけて大きな力で回転ドラム１０内に引っ張りこもうとするが、リブ部１８ｄの厚みを厚く形成しているために十分に巻きつけることができず、洗濯物がリップ部１８ａおよびリブ部１８ｄから外れてしまうことにより、パッキング部材１８が外れたり、破れたりすることを防いで、大きな水漏れが発生することを防止することができる。
【産業上の利用可能性】
【００４８】
以上のように、本発明にかかるドラム式洗濯機は、使用者が誤って洗濯物を蓋体に挟んだまま運転したとしても、洗濯物の巻き込みによるパッキング部材の外れや破損を防止して、水漏れを防止できるので、蓋体と回転機能を有する他の洗濯機の用途に適用できる。
【符号の説明】
【００４９】
１  本体
５  前面パネル部材
９  水槽
９ａ  水槽開口部
１０  回転ドラム
１０ｂ  ドラム開口部
１５  開口部材
１５ａ  前方開口部（前面開口部）
１６  蓋体
１６ａ  内蓋
１７  前面板
１７ａ  前面板開口部（前面開口部）
１８  パッキング部材
１８ａ  リップ部
１８ｂ  略円筒部
１８ｃ  膨出部
１８ｄ  リブ部
１８ｅ  水抜き孔
１８ｆ  凹状の溝
１９  洗濯物
【図１】
0006450937.tif 000002
【図２】
0006450937.tif 000003
【図３】
0006450937.tif 000004
【図４】
0006450937.tif 000005
【図５】
0006450937.tif 000006
【図６】
0006450937.tif 000007
【図７】
0006450937.tif 000008